(57)【特許請求の範囲】
【請求項１】
親局と、この親局と光信号で双方向通信を行う複数の子局と、前記親局から子局への光信号を伝送する下り光伝送路と、前記子局から親局への光信号を伝送する上り光伝送路とを有する光伝送装置であって、
前記子局は、前記下り光伝送路と接続する下り光伝送系と、前記上り光伝送路と接続する上り伝送系とを有し、
前記下り光伝送系は、下り光入力端子のみを有するか、又は光分岐器を備え、下り光入力端子及び下り光出力端子を有し、
前記上り光伝送系は、上り光出力端子のみを有するか、又は光合成器を備え、上り光出力端子及び上り光入力端子を有し、
前記複数の子局を複数の群に分け、この群毎に上り光伝送路を設けると共に、親局と同一群内の子局とを各群所定の上り光伝送路を介してマルチドロップ・トポロジーで接続していることを特徴とする光伝送装置。
【請求項２】
同一群内の子局は、それぞれ異なる波長の光信号を発光する発光手段を有することを特徴とする請求項１記載の光伝送装置。
【請求項３】
各群の少なくとも一つの子局の上り光伝送系の構成は、他の群の子局の上り光伝送系の構成と同一であることを特徴とする請求項２記載の光伝送装置。
【請求項４】
各群の上り光伝送路を介して接続する、少なくとも親局及び子局又は２つの子局同士の組み合わせは、他の群の上り光伝送路に接続する親局及び子局又は２つの子局同士の組み合わせと同一であることを特徴とする請求項３記載の光伝送装置。
【請求項５】
同一発光波長の光信号を発光する発光手段を有する子局に、共通の識別符号を付与したことを特徴とする請求項２、３又は４記載の光伝送装置。
【請求項６】
各子局に親局に近い側から昇べきの順で番号を付与したとき、子局をｍ（ｍは自然数とする）群に分け、第１群には、１、ｍ＋１，２×ｍ＋１、…番の子局が、第２群には、２、ｍ＋２、２×ｍ＋２、…番の子局が、各群に各番号の子局が順次含まれるようにし、さらに第ｍ−１群には、ｍ−１、ｍ＋（ｍ−１）、２×ｍ＋（ｍ−１）、…番の子局が、第ｍ群には、子局ｍ、２×ｍ、３×ｍ、…が含まれるように、親局に近い順に各群の子局が交替で順に並ぶことを特徴とする請求項１、２、３又は４記載の光伝送装置。
【請求項７】
各子局に親局に近い側から昇べきの順で番号を付与したとき、子局をｍ（ｍは自然数とする）群に分け、第１群には、１、ｍ＋１，２×ｍ＋１、…番の子局が、第２群には、２、ｍ＋２、２×ｍ＋２、…番の子局が、各群に各番号の子局が順次含まれるようにし、さらに第ｍ−１群には、ｍ−１、ｍ＋（ｍ−１）、２×ｍ＋（ｍ−１）、…番の子局が、第ｍ群には、子局ｍ、２×ｍ、３×ｍ、…が含まれるように、親局に近い順に各群の子局が交替で順に並ぶことを特徴とする請求項５記載の光伝送装置。
【請求項８】
各群内の最終端に接続した子局は、下り光出力端子、若しくは上り光入力端子を光終端することを特徴とする請求項１、２、３、４又は７記載の光伝送装置。
【請求項９】
各群内の最終端に接続した子局は、下り光出力端子、若しくは上り光入力端子を光終端することを特徴とする請求項５記載の光伝送装置。
【請求項１０】
各群内の最終端に接続した子局は、下り光出力端子、若しくは上り光入力端子を光終端することを特徴とする請求項６記載の光伝送装置。
【請求項１１】
各子局は、下り光出力端子及び上り光入力端子に光終端器を取付けられる機構を有し、下り光出力端子、若しくは上り光入力端子に光終端器を取り付けることにより、これら下り光出力端子、若しくは上り光入力端子を光終端することを特徴とする請求項８記載の光伝送装置。
【請求項１２】
各子局は、下り光出力端子及び上り光入力端子に光終端器を取付けられる機構を有し、下り光出力端子、若しくは上り光入力端子に光終端器を取り付けることにより、これら下り光出力端子、若しくは上り光入力端子を光終端することを特徴とする請求項９又は１０記載の光伝送装置。
【請求項１３】
子局は、夫々収容される複数の無線エリアを有し、
各群内の１つの子局は、他の群内の１つの子局と同一の無線エリアを共有することを特徴とする請求項１、２、３、４、７、９、１０又は１１記載の光伝送装置。
【請求項１４】
子局は、夫々収容される複数の無線エリアを有し、
各群内の１つの子局は、他の群内の１つの子局と同一の無線エリアを共有することを特徴とする請求項５記載の光伝送装置。
【請求項１５】
子局は、夫々収容される複数の無線エリアを有し、
各群内の１つの子局は、他の群内の１つの子局と同一の無線エリアを共有することを特徴とする請求項６記載の光伝送装置。
【請求項１６】
子局は、夫々収容される複数の無線エリアを有し、
各群内の１つの子局は、他の群内の１つの子局と同一の無線エリアを共有することを特徴とする請求項８記載の光伝送装置。
【請求項１７】
子局は、夫々収容される複数の無線エリアを有し、
各群内の１つの子局は、他の群内の１つの子局と同一の無線エリアを共有することを特徴とする請求項１２記載の光伝送装置。
【発明の詳細な説明】
【０００１】
【発明の属する技術分野】
本発明は、光通信ネットワークの光伝送装置に関し、特に親局と、この親局と光信号で双方向通信を行う複数の子局と、前記親局から子局への光信号を伝送する下り光伝送路と、前記子局から親局への光信号を伝送する上り光伝送路とを有する多分岐型光伝送システム光伝送装置に関する。
【０００２】
【従来の技術】
従来、このような多分岐型光伝送システム光伝送装置における、親局及び複数の子局間の伝送方式は、ベースバンドディジタル信号又はパルス化アナログ信号を光伝送する方式がほとんどであったが、近年、ＳＣＭ（Ｓｕｂ−Ｃａｒｒｉｅｒ  Ｍｕｌｔｉｐｌｅｘｉｎｇ；  副搬送波多重）方式を採用して、複数のキャリアを光伝送しようといった要望が高まってきている。
【０００３】
このようなＳＣＭ方式の伝送方式を採用した光伝送装置の場合には、その接続構成として、親局及び複数の子局間の一本の光ファイバを、光分岐器や光合成器等でバス状にし、これら光分岐器及び光合成器を介して個々の子局に接続するといったマルチドロップ・トポロジーが考えられる。
【０００４】
このマルチドロップ・トポロジーの接続構成を採用した光伝送装置によれば、親局から各子局に光信号を伝送する下り光伝送路に使用される各光分岐器の分岐数や伝送路間の伝送損失等を考慮にいれて、各子局の受光レベルが等しくなるように分岐比が設定してあるので、前記下り光伝送路の受光レベルが充分であれば、そのトポロジーで伝送性能に影響を与えることはなく、伝送特性も各子局間で均一となる。
【０００５】
しかしながら、このような下り光伝送路と同一の接続構成で、各子局から親局に光信号を伝送する上り光伝送路を構築した場合には、各子局の発光手段である発光素子（例えばレーザダイオード；ＬＤ）からの光信号を上り光伝送路の光合成器で合成し、この合成した光信号を最終的に親局内部の受光素子（例えばフォトダイオード；ＰＤ）に受光させるために、この受光素子において各子局からの光信号同士が干渉しあって光ビート雑音が発生することがある。
【０００６】
さらには、このような光ビート雑音によって伝送信号帯域内の雑音が増加し、ひいてはキャリア対雑音比（ＣＮＲ；Ｃａｒｒｉｅｒ  ｔｏ  Ｎｏｉｓｅ  Ｒａｔｉｏ）や符号誤り率（ＢＥＲ；Ｂｉｔ  Ｅｒｒｏｒ  Ｒａｔｅ）といった信号品質に影響を及ぼす原因となる。
【０００７】
尚、前記発光素子は電気／光変換器（以下、単にＥ／Ｏと称する）に含まれると共に、前記受光素子は光／電気変換器（以下、単にＯ／Ｅと称する）に含まれるものである。
【０００８】
そこで、前述のような信号品質の劣化を防止するために、次に説明するようなスター・トポロジーを採用した光伝送装置や、波長制御マルチドロップ・トポロジーを採用した光伝送装置が考案されている。
【０００９】
まず、スター・トポロジーの光伝送装置について説明する。図２はスター・トポロジーの光伝送装置における、特に上り光伝送路内部の概略構成を示すブロック図である。
【００１０】
図２に示す光伝送装置１００においては、一つの親局１１０と、複数の子局１２０と、親局１１０と子局１２０とを１：１で接続する複数の上り光伝送路１３０とを有し、その親局１１０の内部には、個々の子局１２０からの光信号を電気信号に変換する複数のＯ／Ｅ１１１と、これら各Ｏ／Ｅ１１１にて変換された電気信号を合成し、この電気信号を信号出力端子１１３から出力する合成回路１１２とを有している。
【００１１】
このようなスター・トポロジーの光伝送装置１００によれば、親局１１０内部のＯ／Ｅ１１１と子局１２０とが上り光伝送路１３０を介して１：１の接続構成としてあるので、各子局１２０の光信号同士が干渉しあって光ビート雑音を発生するようなことはなく、前述した信号品質の劣化を確実に回避することができる。
【００１２】
では、次に信号品質の劣化を回避する波長制御マルチドロップ・トポロジーの光伝送装置について説明する。図３は波長制御マルチドロップ・トポロジーの光伝送装置内部の概略構成を示すブロック図である。
【００１３】
図３に示す光伝送装置２００においては、一つの親局２１０と、複数の子局２２０と、親局２１０から子局２２０に光信号を伝送する下り光伝送路２３０と、子局２２０から親局２１０に光信号を伝送する上り光伝送路２４０と、前記下り光伝送路２３０から個々の子局２２０に光信号を分岐する複数の光分岐器２２１と、個々の子局２２０からの光信号を前記上り光伝送路２３０に入射して、各光信号を夫々合成する複数の光合成器２２２とを有している。
【００１４】
前記親局２１０の内部には、信号入力端子２１１から得られる電気信号を光信号に変換し、この光信号を下り光伝送路２３０に入射する親局Ｅ／Ｏ２１２と、前記上り光伝送路２４０から、前記光合成器２２２にて合成された各子局２２０の光信号を電気信号に変換し、この電気信号を信号出力端子２１３から出力する親局Ｏ／Ｅ２１４とを有している。
【００１５】
また、各子局２２０には、下り光伝送路２３０の各光分岐器２２１にて分岐された光信号を電気信号に変換し、この電気信号を信号出力端子（図示せず）に出力する子局Ｏ／Ｅ２２３と、信号入力端子（図示せず）から得られる電気信号を光信号に変換し、この光信号を上り光伝送路２４０の光合成器２２２に伝送する発光素子２２４と、この上り光伝送路２４０の光合成器２２２の光ビート雑音を検出する光ビート検出器２２５と、この光ビート検出器２２５の検出結果に基づいて前記発光素子２２４による発光波長を制御するＬＤ波長コントローラ２２６とを有している。尚、親局２１０から最も遠い最終端に位置する子局２２０ａには、前記光ビート検出器２２５及びＬＤ波長コントローラ２２６はないものとする。
【００１６】
このような波長制御マルチドロップ・トポロジーの光伝送装置２００によれば、上り光伝送路２４０に接続した各子局２２０毎の光合成器２２２から各子局２２０の光ビート検出器２２５が光ビート雑音を検出し、この検出結果に基づいて光ビート雑音が発生しないように発光素子２２４の発光波長を制御するようにしたので、前述した信号品質の劣化を回避することができる。
【００１７】
【発明が解決しようとする課題】
上記従来のスター・トポロジーを採用した光伝送装置１００によれば、図２に示すように、親局１１０内部の親局Ｏ／Ｅ１１１と子局１２０とが上り光伝送路１３０を介して１：１の接続構成としてあるので、上り光伝送路１３０において光ビート雑音が発生することはない。
【００１８】
しかしながら、子局１２０の数と、親局１１０内の親局Ｏ／Ｅ１１１の数と、光ファイバ（上り光伝送路）１３０の本数とが同数必要であるために、子局１２０の数が増えると、光ファイバや各部品の個数が多数必要となり、装置全体のコストが高くなってしまうといった問題点があった。
【００１９】
また、上記従来の波長制御マルチドロップ・トポロジーを採用した光伝送装置２００によれば、図３に示すように、上り光伝送路２４０における光合成器２２２から光ビート雑音を検出し、この検出結果に基づいて各子局２２０の発光素子２２４の発光波長を制御するようにしたので、上り光伝送路２４０における光ビート雑音の発生を回避することができる。
【００２０】
しかしながら、その構成及びアルゴリズムが複雑であるために、装置が複雑化し、ひいては装置全体のコストが高くなってしまうといった問題点があった。
【００２１】
本発明は上記問題点に鑑みてなされたものであり、その目的とするところは、容易かつ廉価な構成で上り光伝送路の光ビート雑音による信号品質劣化を確実に回避することができる光伝送装置を提供することにある。
【００２２】
【課題を解決するための手段】
上記目的を達成するために本発明の光伝送装置は、親局と、この親局と光信号で双方向通信を行う複数の子局と、前記親局から子局への光信号を伝送する下り光伝送路と、前記子局から親局への光信号を伝送する上り光伝送路とを有する光伝送装置であって、前記子局は、前記下り光伝送路と接続する下り光伝送系と、前記上り光伝送路と接続する上り伝送系とを有し、前記下り光伝送系は、下り光入力端子のみを有するか、又は光分岐器を備え、下り光入力端子及び下り光出力端子を有し、前記上り光伝送系は、上り光出力端子のみを有するか、又は光合成器を備え、上り光出力端子及び上り光入力端子を有し、前記複数の子局を複数の群に分け、この群毎に上り光伝送路を設けると共に、親局と同一群内の子局とを各群所定の上り光伝送路を介してマルチドロップ・トポロジーで接続すると共に、群内の各子局にそれぞれ相異なる発光波長を割り当てるようにしたものである。
【００２３】
従って、本発明の光伝送装置によれば、複数の子局を複数の群に分け、この群毎に上り光伝送路を設け、親局と同一群内の子局とを各群所定の上り光伝送路を介してマルチドロップ・トポロジーで接続すると共に、群内の各子局にそれぞれ相異なる発光波長を割り当てるようにしたので、容易かつ廉価な構成で、上り光伝送路の光ビート雑音による信号品質劣化を防止することができる。
【００２４】
【発明の実施の形態】
本発明における請求項１記載の光伝送装置は、親局と、この親局と光信号で双方向通信を行う複数の子局と、前記親局から子局への光信号を伝送する下り光伝送路と、前記子局から親局への光信号を伝送する上り光伝送路とを有する光伝送装置であって、前記子局は、前記下り光伝送路と接続する下り光伝送系と、前記上り光伝送路と接続する上り伝送系とを有し、前記下り光伝送系は、下り光入力端子のみを有するか、又は光分岐器を備え、下り光入力端子及び下り光出力端子を有し、前記上り光伝送系は、上り光出力端子のみを有するか、又は光合成器を備え、上り光出力端子及び上り光入力端子を有し、前記複数の子局を複数の群に分け、この群毎に上り光伝送路を設けると共に、親局と同一群内の子局とを各群所定の上り光伝送路を介してマルチドロップ・トポロジーで接続していることを特徴とする。
【００２５】
前記光伝送路とは、例えば光ファイバに相当し、上り光伝送路は子局から親局への光信号を伝送する光ファイバ、下り光伝送路は親局から子局への光信号を伝送する光ファイバに相当するものである。
【００２６】
マルチドロップ・トポロジーとは、親局及び複数の子局間の光ファイバを子局内に実装した光分岐器や光合成器でバス状にし、親局と個々の子局とを光分岐器及び光合成器を介して接続する方式である。
【００２７】
また、前記子局の下り光伝送系にて下り光入力端子のみを有する場合とは、装置設計上、下り光伝送路にて最終端に接続された子局の場合に相当ものであり、前記子局の上り光伝送系にて上り光出力端子のみを有する場合とは、装置設計上、上り光伝送路にて最終端に接続された子局（親局から見て最遠端となる子局）の場合に相当するものである。
【００２８】
また、前記子局の下り光伝送系に光分岐器を備え、下り光入力端子及び下り光出力端子を有する場合とは、下り光伝送路にて最終端に配置されていない子局、つまり、その後段に（より下で）他の子局と接続する可能性のある子局に相当するものである。
【００２９】
また、前記子局の上り光伝送系に光合成器を備え、上り光出力端子及び上り光入力端子を有する場合とは、装置設計上、上り光伝送路にて最終端に配置されていない子局、つまり、その前段に（より下で）他の子局と接続する可能性のある子局に相当するものである。
【００３０】
従って、本発明における請求項１記載の光伝送装置によれば、複数の子局を複数の群に分け、この群毎に上り光伝送路を設けると共に、親局と同一群内の子局とを各群所定の上り光伝送路を介してマルチドロップ・トポロジーで接続するようにしたので、図２に示すスター・トポロジーに比べて上り光伝送路の本数及び親局内部のＯ／Ｅの数を必要最小限に抑えることができ、さらには図３に示す波長制御マルチドロップ・トポロジーに比べて接続装置を容易化することができ、一つの親局内部のＯ／Ｅに光信号を伝送する発光素子の数が少なくなるために、上り光伝送路の光ビート雑音による信号品質劣化を回避することができる。
【００３１】
つまり、容易かつ廉価な構成で、上り光伝送路の光ビート雑音による信号品質劣化を回避することができる。
【００３２】
また、本発明における請求項２記載の光伝送装置は、請求項１記載の構成に加えて、同一群内の子局は、それぞれ異なる波長の光信号を発光する発光手段を有することを特徴とする。
【００３３】
前記発光手段とは、光信号を発光する発光素子に相当するものである。
【００３４】
同一群内の子局は、その群内の子局同士で異なる発光波長の光信号を発光する発光手段を有するものであり、例えば同一群内の子局が３台の場合、その群には発光波長帯が異なる３種類の発光手段があるものとする。
【００３５】
尚、この同一群内における各子局の発光波長（帯）の間隔は、光源スペクトル線幅、周囲温度やバイアス電流変化による発光波長変化、システムのＣＮＲ等の要求仕様値及び伝送信号帯域を加味しながら決定するものである。
【００３６】
従って、本発明の請求項２記載の光伝送装置によれば、上記請求項１記載の光伝送装置の効果に加えて、上り光伝送路の光ビート雑音による信号品質劣化を確実に回避することができる。
【００３７】
また、群間では同じ発光波長の発光手段を使用しても、光ビート雑音の問題は発生しないので、発光手段の種類を減らすことが可能となる。
【００３８】
また、本発明における請求項３記載の光伝送装置は、上記請求項２記載の構成に加えて、各群の少なくとも一つの子局の上り光伝送系の構成が、他の群の子局の上り光伝送系の構成と同一であることを特徴とする。
【００３９】
子局の上り光伝送系の構成とは、この子局に接続された上り光伝送路から親局に光信号を伝送する際の、例えば周辺電気回路を含む発光素子及び光合成器等の光／電気回路構成に相当するものであり、ある群が３台の子局を有し、これら子局が、光分岐比の相異なる光合成器と発光波長の相異なる発光素子とを有するような上り光伝送系であるとき、他の群に属する子局の内、少なくとも一つの子局が同一種類の光合成器と発光素子とを有する上り光伝送系としたものである。
【００４０】
従って、本発明における請求項３記載の光伝送装置は、上記請求項２記載の光伝送装置の効果に加えて、各群の少なくとも一つの子局の上り光伝送系の構成が、他の群の子局の上り光伝送系の構成と同一であるようにした、より具体的にいえば、各群の子局数が異なる場合、例えば第１の群の子局数が３台、第２の群の子局数が２台の場合でも、第１の群の中の２台の子局と、第２の群の中の１乃至２台の子局とが同一の上り光伝送系を有するようにしたので、各群の子局における上り光伝送系の構成を共通化することにより、そのシステム構築を容易化することができ、その構築コストを大幅に抑えることができる。
【００４１】
また、本発明における請求項４記載の光伝送装置は、上記請求項３記載の構成に加えて、各群の上り光伝送路を介して接続する、少なくとも親局及び子局又は２つの子局同士の組み合わせが、他の群の上り光伝送路に接続する親局及び子局又は２つの子局同士の組み合わせと同一であることを特徴とする。
【００４２】
従って、本発明における請求項４記載の光伝送装置によれば、上記請求項３記載の光伝送装置の効果に加えて、各群の上り光伝送路を介して接続する、少なくとも親局及び子局又は２つの子局同士の組み合わせが、他の群の上り光伝送路に接続する親局及び子局又は２つの子局同士の組み合わせと同一であるようにした、より具体的に言えば、各群の子局数が異なる場合、例えば第１の群の子局数が３台、第２の群の子局数が２台の場合には、第１群の中の親局及び子局、若しくは２台の子局同士の組み合わせると、第２の群の中の親局及び子局、若しくは２台の子局同士の組み合わせとが同一であるので、各群の途中伝送路の伝送損失等が類似している場合、許容される合成損失がほぼ等しくなり、上り光伝送路に接続する光合成器を兼用して、各子局の調整・設定条件も同一にすることが可能となり、コストを抑えることができる。
【００４３】
また、群内の各子局からの光信号レベルを親局において、ほぼ等しくすることができ、各子局における光変調度を同じにしたとき、各子局からのＲＦ信号のレベルも群内でほぼ等しくすることができる。
【００４４】
また、本発明における請求項５記載の光伝送装置は、上記請求項２、３又は４記載の構成に加えて、同一発光波長の光信号を発光する発光手段を有する子局に、共通の識別符号を付与したことを特徴とする。
【００４５】
前記識別符号とは、同一発光波長の発光手段を有する子局に対して共通に付すものである。
【００４６】
従って、本発明における請求項５記載の光伝送装置によれば、上記請求項２、３又は４記載の光伝送装置の効果に加えて、例えば子局の発光手段に障害が発生したとしても、その発光手段の発光波長を調査することなく、その識別符号にて簡単に所定の発光手段の発光波長を認識することができ、その発光手段の保守交換作業を良好にすることができる。
【００４７】
また、本発明における請求項６記載の光伝送装置は、上記請求項１、２、３又は４記載の構成に加えて、各子局に親局に近い側から昇べきの順で番号を付与したとき、子局をｍ（ｍは自然数とする）群に分け、第１群には、１、ｍ＋１，２×ｍ＋１、…番の子局が、第２群には、２、ｍ＋２、２×ｍ＋２、…番の子局が、各群に各番号の子局が順次含まれるようにし、さらに第ｍ−１群には、ｍ−１、ｍ＋（ｍ−１）、２×ｍ＋（ｍ−１）、…番の子局が、第ｍ群には、子局ｍ、２×ｍ、３×ｍ、…が含まれるように、親局に近い順に各群の子局が交替で順に並ぶことを特徴とする。
【００４８】
また、本発明における請求項７記載の光伝送装置は、上記請求項５記載の構成に加えて、各子局に親局に近い側から昇べきの順で番号を付与したとき、子局をｍ（ｍは自然数とする）群に分け、第１群には、１、ｍ＋１，２×ｍ＋１、…番の子局が、第２群には、２、ｍ＋２、２×ｍ＋２、…番の子局が、各群に各番号の子局が順次含まれるようにし、さらに第ｍ−１群には、ｍ−１、ｍ＋（ｍ−１）、２×ｍ＋（ｍ−１）、…番の子局が、第ｍ群には、子局ｍ、２×ｍ、３×ｍ、…が含まれるように、親局に近い順に各群の子局が交替で順に並ぶことを特徴とする。
【００４９】
例えば子局群の数ｍを３とし、各子局群の子局数を３とした場合、上記式を利用すれば、第１群には１、４、７番の子局が、第２群には２、５、８番の子局が、第３群には３、６、９番の子局が含まれることになる。
【００５０】
さらに、例えば子局群の数ｍを５とし、各子局群の子局数を４とした場合、上記式に導入すると、第１群には１、６、１１、１６番の子局が、第２群には２、７、１２、１７番の子局が、第３群には３、８、１３、１８番の子局が、第４群には４、９、１４、１９番の子局が、第５群には５、１０、１５、２０番の子局が含むことになる。
【００５１】
従って、本発明における請求項６又は７記載の光伝送装置によれば、上記請求項１、２、３、４又は５記載の光伝送装置の効果に加えて、各群の対応する子局間の伝送損失がほぼ同じとなって、親局における各子局からの受光電力が群間でほぼ等しくすることができる。
【００５２】
さらに、このような各子局で光変調度を等しくすれば、受光電力がほぼ等しいので、親局内のＯ／Ｅを共通化することができ、さらには上りＲＦ信号も群間、すなわち親局の出力レベルを互いにほぼ等しくすることができる。
【００５３】
また、本発明における請求項８記載の光伝送装置は、上記請求項１、２、３、４又は７記載の構成に加えて、各群内の最終端に接続した子局が、下り光出力端子、若しくは上り光入力端子を光終端することを特徴とする。
【００５４】
また、本発明における請求項９記載の光伝送装置は、上記請求項５記載の構成に加えて、各群内の最終端に接続した子局が、下り光出力端子、若しくは上り光入力端子を光終端することを特徴とする。
【００５５】
また、本発明における請求項１０記載の光伝送装置は、上記請求項６記載の構成に加えて、各群内の最終端に接続した子局が、下り光出力端子、若しくは上り光入力端子を光終端することを特徴とする。
【００５６】
例えば、親局：子局を１：６（上り２群）とするシステム構成で当初設計したとしても、実際にはシステム設置場所の規模によって、例えば１：５、１：４や１：３等といったシステム構成が要望されることも十分予想される。
【００５７】
しかしながら、このような当初の装置設計とは異なるシステム構成に当初の設計通りの子局の装置構成をそのまま使用した場合には、各群内の最終端に接続した子局の光接続端子がオープン（開放）のままとなるが、このままでは、その光伝送特性を劣化させてしまうので、その開放光接続端子を光終端する必要がある。
【００５８】
設計通りの１：６のシステム構成で使用した場合には光終端する必要はないが、設計外の例えば１：５のシステム構成で使用する際、第１群の子局を第１子局、第３子局及び第５子局とし、第２群の子局を第２子局及び第４子局とした場合には、第４子局の上り光入力端子と第５子局の下り光出力端子とがオープンとなり、光終端する必要がある。
【００５９】
さらに１：４のシステム構成で使用した場合には、第３子局及び第４子局の上り光入力端子と、第４子局の下り光出力端子とがオープンとなり、光終端する必要がある。
【００６０】
従って、本発明における請求項８、９又は１０記載の光伝送装置によれば、上記請求項１、２、３、４、５、６又は７記載の光伝送装置の効果に加えて、当初設計したシステム構成より子局数が少ないシステムの要望があったとしても、各群内の最終端に接続した子局は、その下り光伝送系の下り光出力端子、若しくは上り光伝送系の上り光入力端子を光終端するようにしたので、装置構成の変更や再調整を全くすることなしに、設置場所や設置環境に応じた子局数のシステム構成をとることが可能となる。
【００６１】
また、本発明における請求項１１記載の光伝送装置は、上記請求項８記載の構成に加えて、各子局が、下り光出力端子及び上り光入力端子に光終端器を取付けられる機構を有し、下り光出力端子、若しくは上り光入力端子に光終端器を取り付けることにより、これら下り光出力端子、若しくは上り光入力端子を光終端することを特徴とする。
【００６２】
また、本発明における請求項１２記載の光伝送装置は、上記請求項９又は１０記載の構成に加えて、各子局が、下り光出力端子及び上り光入力端子に光終端器を取付けられる機構を有し、下り光出力端子、若しくは上り光入力端子に光終端器を取り付けることにより、これら下り光出力端子、若しくは上り光入力端子を光終端することを特徴とする。
【００６３】
従って、本発明における請求項１１又は１２記載の光伝送装置によれば、上記請求項８、９又は１０記載の光伝送装置の効果に加えて、各子局が、下り光出力端子及び上り光入力端子に光終端器を取付けられる機構を有するようにしたので、当初設計したシステムよりも子局数が少ないシステムの要望があったとしても、オープン状態の下り光出力端子、若しくは上り光出力端子に光終端器を取り付けて、光終端することにより、再調整なしにシステム構成の変更が可能となるために、そのシステム構成にフレキシブル性が出てくる。
【００６４】
また、逆に、システム完成後に当初設置したよりも子局を増設する要望が生じたとしても、子局を追加設置し光伝送路を設置し直し、新たにオープン状態となった下り光出力端子及び上り光出力端子に光終端器を移動して取り付け直すことにより、光終端の位置を変更するだけで、再調整なしにシステム構成の変更が可能となるため、そのシステム構成にフレキシブル性がでてくる。
【００６５】
また、本発明における請求項１３記載の光伝送装置は、上記請求項１、２、３、４、７、９、１０又は１１記載の構成に加えて、子局が夫々収容される複数の無線エリアを有し、各群内の１つの子局は、他の群内の１つの子局と同一の無線エリアを共有することを特徴とする。
【００６６】
また、本発明における請求項１４記載の光伝送装置は、上記請求項５記載の構成に加えて、子局が夫々収容される複数の無線エリアを有し、各群内の１つの子局は、他の群内の１つの子局と同一の無線エリアを共有することを特徴とする。
【００６７】
また、本発明における請求項１５記載の光伝送装置は、上記請求項６記載の構成に加えて、子局が夫々収容される複数の無線エリアを有し、各群内の１つの子局は、他の群内の１つの子局と同一の無線エリアを共有することを特徴とする。
【００６８】
また、本発明における請求項１６記載の光伝送装置は、上記請求項８記載の構成に加えて、子局が夫々収容される複数の無線エリアを有し、各群内の１つの子局は、他の群内の１つの子局と同一の無線エリアを共有することを特徴とする。
【００６９】
また、本発明における請求項１７記載の光伝送装置は、上記請求項１２記載の構成に加えて、子局が夫々収容される複数の無線エリアを有し、各群内の１つの子局は、他の群内の１つの子局と同一の無線エリアを共有することを特徴とする。
【００７０】
従って、本発明における請求項１４、１５、１６又は１７記載の光伝送装置によれば、上記請求項１、２、３、４、５、６、７、８、９、１０、１１、１２又は１３記載の光伝送装置の効果に加えて、同一無線エリア内に群の異なる２つの子局を配置し、親局が同一無線エリア内の各群の子局から受信信号を夫々合成せず出力することによって、上記無線エリア内の移動無線端末からの信号品質をダイバシティ受信効果により、大幅に向上させることができる。
【００７１】
以下、図面に基づいて本発明の光伝送装置における実施の形態を示す光伝送システムについて説明する。図１は本実施の形態に示す、例として１：６（上り系２群）の光伝送システム内部の概略構成を示すブロック図である。
【００７２】
図１に示す光伝送システム１は、１つの親局１０と、この親局１０と光信号で双方向通信を行う６つの子局２０と、前記親局１０から子局２０への光信号を伝送する下り光伝送路３０と、前記子局２０から親局１０への光信号を伝送する上り光伝送路４０とを有している。
【００７３】
前記子局２０は、２つの群に分けてあり、第１群２０Ａは第１子局２０ａ、第３子局２０ｂ及び第５子局２０ｃに、第２群２０Ｂは第２子局２０ｄ、第４子局２０ｅ及び第６子局２０ｆに分けてある。
【００７４】
前記光伝送路は、親局１０から子局２０への光信号を伝送するためにマルチドロップ・トポロジーで各子局２０と接続した下り光伝送路３０と、第１群２０Ａの子局２０ａ，２０ｂ，２０ｃから親局１０へ光信号を伝送するためにマルチドロップ・トポロジーで、親局１０と第１群２０Ａの子局２０ａ，２０ｂ，２０ｃとを接続した第１群上り光伝送路４０Ａと、第２群２０Ｂの子局２０ｄ，２０ｅ，２０ｆから親局１０へ光信号を伝送するためにマルチドロップ・トポロジーで、親局１０と第２群２０Ｂの子局２０ｄ，２０ｅ，２０ｆとを接続した第２群上り光伝送路４０Ｂとを有している。
【００７５】
前記親局１０の内部には、前記下り光伝送路３０と接続し、この下り光伝送路３０を介して子局２０に光信号を伝送するための、信号入力端子１１に入力された電気信号を光信号に変換する親局Ｅ／Ｏ１２と、前記第１群上り光伝送路４０Ａと接続し、この第１群上り光伝送路４０Ａを介して第１群２０Ａの子局２０ａ，２０ｂ，２０ｃからの光信号を電気信号に変換する第１群Ｏ／Ｅ１３Ａと、前記第２群上り光伝送路４０Ｂと接続し、この第２群上り光伝送路４０Ｂを介して第２群２０Ｂの子局２０ｄ，２０ｅ，２０ｆからの光信号を電気信号に変換する第２群Ｏ／Ｅ１３Ｂと、前記第１群Ｏ／Ｅ１３Ａ及び第２群Ｏ／Ｅ１３Ｂにて得られた電気信号を合成し、この合成電気信号を信号出力端子１４に出力する合成回路１５とを有している。
【００７６】
前記第１群２０Ａの第１子局２０ａには、下り光伝送路３０を介して得られる親局１０からの光信号を、ほぼ１／６の分岐比で分岐する第１光分岐器２１ａと、この第１光分岐器２１ａにて分岐された光信号を電気信号に変換し、この電気信号を信号出力端子２２ａに出力する第１Ｏ／Ｅ２３ａと、信号入力端子２４ａから得られる電気信号に応じた光信号を発光する発光素子を有する第１Ｅ／Ｏ２５ａと、前記第１群上り光伝送路４０Ａと接続して、前記第１Ｅ／Ｏ２５ａの光信号を、ほぼ１／３の合成比で合成する第１光合成器２６ａとを有している。
【００７７】
前記第２群２０Ｂの第２子局２０ｄには、下り光伝送路３０の第１光分岐器２１ａを介して得られる光信号を、ほぼ１／５の分岐比で分岐する第２光分岐器２１ｄと、この第２光分岐器２１ｄにて分岐された光信号を電気信号に変換し、この電気信号を信号出力端子２２ｄに出力する第２Ｏ／Ｅ２３ｄと、信号入力端子２４ｄから得られる電気信号に応じた光信号を発光する発光素子を有する第２Ｅ／Ｏ２５ｄと、前記第２群上り光伝送路４０Ｂと接続して、前記第２Ｅ／Ｏ２５ｄの光信号を、ほぼ１／３の合成比で合成する第２光合成器２６ｄとを有している。
【００７８】
前記第１群２０Ａの第３子局２０ｂには、下り光伝送路３０の第２光分岐器２１ｄを介して得られる光信号を、ほぼ１／４の分岐比で分岐する第３光分岐器２１ｂと、この第３光分岐器２１ｂにて分岐された光信号を電気信号に変換し、この電気信号を信号出力端子２２ｂに出力する第３Ｏ／Ｅ２３ｂと、信号入力端子２４ｂから得られる電気信号に応じた光信号を発光する発光素子を有する第３Ｅ／Ｏ２５ｂと、前記第１群上り光伝送路４０Ａと接続して、前記第３Ｅ／Ｏ２５ｂの光信号を、ほぼ１／２の合成比で合成する第３光合成器２６ｂとを有している。
【００７９】
前記第２群２０Ｂの第４子局２０ｅには、下り光伝送路３０の第３光分岐器２１ｂを介して得られる光信号を、ほぼ１／３の分岐比で分岐する第４光分岐器２１ｅと、この第４光分岐器２１ｅにて分岐された光信号を電気信号に変換し、この電気信号を信号出力端子２２ｅに出力する第４Ｏ／Ｅ２３ｅと、信号入力端子２４ｅから得られる電気信号に応じた光信号を発光する発光素子を有する第４Ｅ／Ｏ２５ｅと、前記第２群上り光伝送路４０Ｂと接続して、前記第４Ｅ／Ｏ２５ｅの光信号を、ほぼ１／２の合成比で合成する第４光合成器２６ｅとを有している。
【００８０】
前記第１群２０Ａの第５子局２０ｃには、下り光伝送路３０の第４光分岐器２１ｅを介して得られる光信号を、ほぼ１／２の分岐比で分岐する第５光分岐器２１ｃと、この第５光分岐器２１ｃにて分岐された光信号を電気信号に変換し、この電気信号を信号出力端子２２ｃに出力する第５Ｏ／Ｅ２３ｃと、信号入力端子２４ｃから得られる電気信号に応じた光信号を発光する発光素子を有し、前記第１群上り光伝送路４０Ａと接続して、この発光素子による光信号を発光する第５Ｅ／Ｏ２５ｃとを有している。
【００８１】
前記第２群２０Ｂの第６子局２０ｆには、下り光伝送路３０の第５光分岐器２１ｃを介して得られる光信号を電気信号に変換し、この電気信号を信号出力端子２２ｆに出力する第６Ｏ／Ｅ２３ｆと、信号入力端子２４ｆから得られる電気信号に応じた光信号を発光する発光素子を有し、前記第２群上り光伝送路４０Ｂと接続して、この発光素子による光信号を発光する第６Ｅ／Ｏ２５ｆとを有している。
【００８２】
尚、前記第１群上り光伝送路４０Ａにおいては、親局１０と各子局２０ａ，２０ｂ，２０ｃとがマルチドロップトポロジーで接続されているので、第５子局２０ｃの第５Ｅ／Ｏ２５ｃからの光信号と、第３子局２０ｂの第３Ｅ／Ｏ２５ｂからの光信号とを第３光合成器２６ｂにて、ほぼ１：１の合成比で合成すると共に、この第３光合成器２６ｂにて合成された光信号と、第１子局２０ａの第１Ｅ／Ｏ２５ａからの光信号とを第１光合成器２６ａにて、ほぼ２：１の合成比で合成し、この第１光合成器２６ａにて合成された光信号を親局１０の第１群Ｏ／Ｅ１３Ａに伝送するものである。
【００８３】
また、前記第２群上り光伝送路４０Ｂにおいては、親局１０と各子局２０ｄ，２０ｅ，２０ｆとがマルチドロップトポロジーで接続されているので、第６子局２０ｆの第６Ｅ／Ｏ２５ｆからの光信号と、第４子局２０ｅの第４Ｅ／Ｏ２５ｅからの光信号とを第４光合成器２６ｅにて、ほぼ１：１の合成比で合成すると共に、この第４光合成器２６ｅにて合成された光信号と、第２子局２０ｄの第２Ｅ／Ｏ２５ｄからの光信号とを第２光合成器２６ｄにて、ほぼ２：１の合成比で合成し、この第２光合成器２６ｄにて合成された光信号を親局１０の第２群Ｏ／Ｅ１３Ｂに伝送するものである。
【００８４】
また、前記第１群２０Ａの第１子局２０ａ、第３子局２０ｂ及び第５子局２０ｃは、夫々発光波長の異なる発光素子を有しており、第１子局２０ａは発光素子ＬＤ−Ｂ、第３子局２０ｂは発光素子ＬＤ−Ｃ及び第５子局２０ｃは発光素子ＬＤ−Ａを夫々有しているとする（この際、ＬＤ−Ｘの“Ｘ”は発光波長帯を示すものとする）。
【００８５】
尚、この同一群内における各子局の発光波長帯の間隔は、スペクトル線幅、周囲温度やバイアス電流変化による発光波長変化、システムのＣＮＲ等の要求仕様値及び伝送信号帯域を加味しながら決定するものである。
【００８６】
また、前記第２群２０Ｂの第２子局２０ｄ、第４子局２０ｅ及び第６子局２０ｆも同様に発光波長の異なる発光素子を有しており、第２子局２０ｄは発光素子ＬＤ−Ｂ、第４子局２０ｅは発光素子ＬＤ−Ｃ及び第６子局２０ｆは発光素子ＬＤ−Ａを夫々有している。
【００８７】
つまり、前記第１群２０Ａの第１子局２０ａ及び第２群２０Ｂの第２子局２０ｄは光合成器２６ａ，２６ｄも含め、上り光伝送系に関わる部分が同一であり、第３子局２０ｂ及び第４子局２０ｅも、光合成器２６ｂ，２６ｅも含めて上り光伝送系に関わる部分が同一であり、第５子局２０ｃ及び第６子局２０ｆも上り光系に関わる部分が同一である。
【００８８】
また、第１群２０Ａ内の第１群上り光伝送路４０Ａを介して接続する、少なくとも親局１０と子局２０ａ、又は２つの子局２０ａと２０ｂ（２０ｂと２０ｃ）の組み合わせは、第２群２０Ｂ内の第２群上り光伝送路４０Ｂを介して接続する、少なくとも親局１０と子局２０ｄ、又は２つの子局２０ｄと２０ｅ（２０ｅと２０ｆ）の組み合わせと同一である。
【００８９】
では、次に本実施の形態に示す光伝送システム１の動作について説明する。
【００９０】
本実施の形態に示す光伝送システム１の主眼とするところは、子局２０から親局１０に光信号を伝送する上り光伝送路４０を２つの群に分けた点である。
【００９１】
第１群２０Ａの第５子局２０ｃは、信号入力端子２４ｃから得られた電気信号に応じた光信号を第５Ｅ／Ｏ２５ｃから第３子局２０ｂの第３光合成器２６ｂに伝送する。第３光合成器２６ｂは、第５子局２０ｃの光信号と、第３Ｅ／Ｏ２５ｂからの光信号とを、ほぼ１：１の合成比で合成し、この合成した光信号を第１光合成器２６ａに出力する。
【００９２】
第１光合成器２６ａは、第３光合成器２６ｂにて合成された光信号と、第１Ｅ／Ｏ２５ａからの光信号とを、ほぼ２：１の合成比で合成し、前記第１群上り光伝送路４０Ａを介して、この合成した光信号を親局１０の第１群Ｏ／Ｅ１３Ａに伝送する。この第１群Ｏ／Ｅ１３Ａは、光信号を電気信号に変換し、この電気信号を合成回路１５に出力する。
【００９３】
また、第２群２０Ｂの第６子局２０ｆは、信号入力端子２４ｆから得られた電気信号に応じた光信号を第６Ｅ／Ｏ２５ｆから第４子局２０ｅの第４光合成器２６ｅに伝送する。第４光合成器２６ｅは、第６子局２０ｆの光信号と、第４Ｅ／Ｏ２５ｅからの光信号とを、ほぼ１：１の合成比で合成し、この合成した光信号を第２光合成器２６ｄに出力する。
【００９４】
第２光合成器２６ｄは、第４光合成器２６ｅにて合成された光信号と、第２Ｅ／Ｏからの光信号とを、ほぼ２：１の合成比で合成し、前記第２群上り光伝送路４０Ｂを介して、この合成した光信号を親局１０の第２群Ｏ／Ｅ１３Ｂに伝送する。この第２群Ｏ／Ｅ１３Ｂは、光信号を電気信号に変換し、この電気信号を合成回路１５に出力する。
【００９５】
この合成回路１５は、前記第１群Ｏ／Ｅ１３Ａ及び第２群Ｏ／Ｅ１３Ｂからの電気信号を合成して、信号出力端子１４に出力する。
【００９６】
本実施の形態によれば、複数の子局２０を第１群２０Ａ及び第２群２０Ｂに分け、各群毎に親局１０と接続する第１群上り光伝送路４０Ａと第２群上り光伝送路４０Ｂを設け、同一群内の子局２０Ａ（２０Ｂ）を各群所定の上り光伝送路４０Ａ（４０Ｂ）にマルチドロップ・トポロジーで接続するようにしたので、図２に示すようなスター・トポロジーに比べて光伝送路の本数及び親局内部のＯ／Ｅの数を必要最小限に抑えることができ、さらには図３に示す波長制御マルチドロップ・トポロジーに比べて装置の構成及びアルゴリズムを容易化／不要にすることができ、親局内部の一つの親局Ｏ／Ｅ１３Ａ（１３Ｂ）に光信号を伝送する発光素子の数が少なくなるために、第１群上り光伝送路４０Ａ及び第２群上り光伝送路４０Ｂの光ビート雑音による信号品質劣化を回避することができる。
【００９７】
言い換えれば、容易かつ廉価な構成で、各群の上り光伝送路４０Ａ（４０Ｂ）の光ビート雑音による信号品質劣化を回避することができる。
【００９８】
さらに、本実施の形態によれば、同一群２０Ａ（２０Ｂ）内の子局２０ａ，２０ｂ，２０ｃ（２０ｄ，２０ｅ，２０ｆ）は、所定の波長間隔をへだてて相異なる発光波長の光信号を発光する発光素子を有するようにしたので、各群の上り光伝送路４０Ａ（４０Ｂ）の光ビート雑音による信号品質劣化を確実に防止することができる。
【００９９】
また、本実施の形態によれば、前記第１群２０Ａの第１子局２０ａ及び第２群２０Ｂの第２子局２０ｄは、上り光伝送系の構成が同一であり、第３子局２０ｂ及び第４子局２０ｅも、上り光伝送系の構成が同一であり、第５子局２０ｃ及び第６子局２０ｆも上り光系の構成が同一であるようにしたので、第１群２０Ａ及び第２群２０Ｂの子局２０における上り光伝送系の構成を共通化することにより、そのシステム構築を容易化することができると共に、その構築コストを大幅に抑えることができる。
【０１００】
また、本実施の形態によれば、第１群２０Ａ内の第１群上り光伝送路４０Ａを介して接続する、少なくとも親局１０と子局２０ａ、又は２つの子局２０ａと２０ｂ（２０ｂと２０ｃ）との組み合わせは、第２群２０Ｂ内の第２群上り光伝送路４０Ｂを介して接続する、少なくとも親局１０と子局２０ｄ、又は２つの子局２０ｄと２０ｅ（２０ｅと２０ｆ）との組み合わせと同一であるようにしたので、各群の伝送損失等が類似している場合、許容される合成損失がほぼ等しくなり、第１群及び第２群上り光伝送路４０Ａ，４０Ｂに接続する光合成器２６ａ及び２６ｄ（２６ｂ及び２６ｅ）を兼用することができ、さらには各調整・設定条件を同一にでき、そのコストを抑えることができる。
【０１０１】
さらには親局１０における各子局２０からの受光電力が群内でほぼ等しくなる。
【０１０２】
さらに、このような各子局２０で光変調度を等しくすれば、受光電力がほぼ等しいので、親局１０内の第１群及び第２群Ｏ／Ｅ１３Ａ，１３Ｂを共通化することができ、さらには上りＲＦ信号も群内で親局の出力レベルを互いにほぼ等しくすることができる。
【０１０３】
また、本実施の形態によれば、同一発光波長の発光素子を有する子局２０に共通の識別符号（ＬＤ−Ａ，ＬＤ−Ｂ，ＬＤ−Ｃ）を付与するようにしたので、例えば子局２０の発光素子に障害が発生したとしても、その発光素子の発光波長を調査することなく、その識別番号にて簡単に所定の発光素子を認識することができ、その発光素子の保守交換作業を良好にすることができる。
【０１０４】
また、本実施の形態によれば、例えば親局：子局を１：６に当初設計し、ユーザーの要望で１：ｎ（“ｎ”は、５以下の自然数とする）となったとしても、各群内の最終端に接続した子局の上り光入力端子と、下り光伝送路３０の最終端となる子局の下り光出力端子とを光終端するようにしたので、装置構成の変更や再調整を全くすることなしに、設置場所や設置環境に応じた子局数のシステム構成をとることができる。
【０１０５】
また、本実施の形態によれば、当初設計した子局数が少ないシステムの設置後に、ユーザーから子局の増設要望があったとしても、新たに子局を追加設置し、光終端器の位置を変更することで再調整なしに、子局数の増減が可能となるために、システム構成にフレキシブル性がでてくる。
【０１０６】
尚、上記実施の形態においては、１つの親局１０と６つの子局２０とで１：６の構成を２つの群に分けて（１：３）×２の構成としたが、子局２０の数が増えた、例えば１：９の構成を３つの群に分けて（１：３）×３の構成にしたり、１：１２の構成を４つの群に分けて（１：３）×４の構成にしたりしても同様の効果が得られる。また、上記実施の形態においては、一つの群に含まれる子局２０の数が３つについて説明したが、例えば１：８＝（１：４）×２ように、この限りではないことは言うまでもない。
【０１０７】
また、上記実施の形態においては、各群内の子局の数を同数としたシステム構成について説明したが、この限りでないことも言うまでもなく、例えば第１群２０Ａの子局の数を３台、つまり第１子局２０ａ、第３子局２０ｂ及び第５子局２０ｃとし、第２群２０Ｂの子局の数を２台、つまり第２子局２０ｄ及び第４子局２０ｅとした場合には、第２群２０Ｂの第２群上り光伝送路４０Ｂに接続した第４子局２０ｅの上り光入力端子を光終端器に接続し、下り光伝送路３０の最終端に接続した第４子局２０ｅの下り光出力端子を光終端器に接続することも可能である。
【０１０８】
また、上記実施の形態として、例えば同一無線エリア内に群の異なる第１子局２０ａ及び第２子局２０ｄを配置し、親局１０が同一無線エリア内の第１子局２０ａ及び第２子局２０ｄから受信信号を夫々合成せずに出力することにより、上記無線エリア内にいる移動無線端末から信号品質をダイバシティ受信効果により大幅に向上させることができる。
【０１０９】
【発明の効果】
上記のように構成された本発明の光伝送装置によれば、複数の子局を複数の群に分け、各群毎に上り光伝送路を設け、親局と同一群内の子局とを各群所定の上り光り伝送路を介してマルチドロップ・トポロジーで接続するようにしたので、図２に示すスター・トポロジーに比べて上り光伝送路の本数及び親局内部のＯ／Ｅの数を必要最小限に抑えることができ、さらには図３に示す波長制御マルチドロップ・トポロジーに比べて装置の構成及びアルゴリズムを容易化することができる。つまり、容易かつ廉価な構成で、上り光伝送路の光ビート雑音による信号品質劣化を回避することができる。
【図面の簡単な説明】
【図１】本発明の光伝送装置の実施の形態を示す光伝送システム内部の概略構成を示すブロック図
【図２】従来のスター・トポロジーを採用した光伝送装置内部の概略構成を示すブロック図
【図３】従来の波長制御マルチドロップ・トポロジーを採用した光伝送装置内部の概略構成を示すブロック図
【符号の説明】
１  光伝送システム（光伝送装置）
１０  親局
２０  子局
２０Ａ  第１群（群）
２０Ｂ  第２群（群）
３０  下り光伝送路
４０  上り光伝送路
４０Ａ  第１群上り光伝送路（所定上り光伝送路）
４０Ｂ  第２群上り光伝送路（所定上り光伝送路）
【図１】
0003571182.tif 000002
【図２】
0003571182.tif 000003
【図３】
0003571182.tif 000004